(57)【特許請求の範囲】
【請求項１】
第１芯線と第２芯線とシールド線とを備え、複数のケーブルが直列に接続されて構成される測定対象物の一端において、前記第１芯線の一端と前記第２芯線の一端と前記シールド線の一端とが相互に接続され、前記測定対象物の他端において、前記第１芯線の他端と前記第２芯線の他端とが相互に接続されるが、前記第１芯線及び前記第２芯線の他端と前記シールド線の他端とは接続されず、前記複数のケーブルの接続部分において、前記第１芯線と前記第２芯線とが機器を介して相互に接続された状態において、前記第１芯線の他端と前記シールド線の他端との間の抵抗値を測定する抵抗値測定器と、
前記抵抗値測定器により測定された抵抗値に基づく情報を表示する表示装置と、を備える、
抵抗値測定システム。
【請求項２】
前記抵抗値測定器により測定された抵抗値から前記第１芯線の抵抗値を算出する演算装置を更に備え、
前記表示装置は、前記演算装置により算出された前記第１芯線の抵抗値を示す情報を表示する、
請求項１に記載の抵抗値測定システム。
【請求項３】
前記第１芯線の抵抗値と前記第２芯線の抵抗値とは同じであり、
前記演算装置は、前記第１芯線の抵抗値であるｒ１を、前記抵抗値測定器により測定された抵抗値であるｒｔｏｔと、前記シールド線の抵抗値に対する前記第１芯線の抵抗値の割合であるＡと、を用いて、ｒｔｏｔ＝（１／２＋１／Ａ）×ｒ１により算出する、
請求項２に記載の抵抗値測定システム。
【請求項４】
第１芯線と第２芯線とシールド線とを備え、複数のケーブルが直列に接続されて構成される測定対象物の一端において、前記第１芯線の一端と前記第２芯線の一端と前記シールド線の一端とが相互に接続され、前記測定対象物の他端において、前記第１芯線の他端と前記第２芯線の他端とが相互に接続されるが、前記第１芯線及び前記第２芯線の他端と前記シールド線の他端とは接続されず、前記複数のケーブルの接続部分において、前記第１芯線と前記第２芯線とが機器を介して相互に接続された状態において、前記第１芯線の他端と前記シールド線の他端との間の抵抗値を測定する、
抵抗値測定方法。
【請求項５】
前記測定された抵抗値を表示する、
請求項４に記載の抵抗値測定方法。
【請求項６】
前記測定された抵抗値と、前記シールド線の抵抗値に対する前記第１芯線の抵抗値の割合と、に基づいて、前記第１芯線の抵抗値を算出し、
前記算出された前記第１芯線の抵抗値を表示する、
請求項４又は５に記載の抵抗値測定方法。
【発明の詳細な説明】
【技術分野】
【０００１】
本発明は、抵抗値測定システム、及び抵抗値測定方法に関する。
【背景技術】
【０００２】
機器同士を相互に接続するケーブルの異常を検知する種々の技術が知られている。ケーブルの異常としては、ケーブルに含まれる芯線の断線や酸化がある。芯線の断線や酸化は、芯線の抵抗値の判別により検知可能である。なお、芯線の抵抗値は、芯線を含む回路の抵抗値から算出可能である。ここで、２本の芯線を有するケーブルの異常を検知する技術として、２本の芯線を一端において短絡した上で、２本の芯線の他端間の抵抗値を測定する技術、つまり、２本の芯線により構成されるループの抵抗値を測定する技術が知られている。
【０００３】
例えば、特許文献１には、ループを構成する電線の組み合わせが互いに異なる複数のループの抵抗値を測定し、測定した抵抗値に基づいて複数の電線間の抵抗値のばらつきを特定する方法が開示されている。この方法では、まず、電線１と電線３とから構成されるループの抵抗値である（Ｒ１＋Ｒ３）と、電線２と電線３とから構成されるループの抵抗値である（Ｒ２＋Ｒ３）と、を測定する。そして、（Ｒ１＋Ｒ３）と（Ｒ２＋Ｒ３）との差分である（Ｒ１−Ｒ２）が閾値以上である場合に、電線１の抵抗値と電線２の抵抗値とが不均衡であると判定する。
【先行技術文献】
【特許文献】
【０００４】
【特許文献１】特開２０１４−２２５８７５号公報
【発明の概要】
【発明が解決しようとする課題】
【０００５】
しかしながら、設備に敷設されているケーブルを異常の検知対象とする場合において、芯線の抵抗値に対して十分に大きくない入力抵抗値を有する機器が芯線間に接続されている場合がある。この場合、特許文献１に開示された方法では、機器を介して一方の芯線から他方の芯線に電流が流れてしまい、ループの抵抗値を正確に測定することができず、その結果、芯線の抵抗値を正確に求めることができない。一方、ループの抵抗値を正確に測定するために、芯線間に接続された機器を取り外すのは非常に手間がかかる。このため、芯線間に機器が接続されていても、芯線の抵抗値と関連する抵抗値を正確に求める技術が望まれている。
【０００６】
本発明は、上記問題に鑑みてなされたものであり、芯線間に機器が接続されていても、芯線の抵抗値と関連する抵抗値を正確に求める抵抗値測定システム、及び抵抗値測定方法を提供することを目的とする。
【課題を解決するための手段】
【０００７】
上記目的を達成するために、本発明に係る抵抗値測定システムは、
第１芯線と第２芯線とシールド線とを備え、複数のケーブルが直列に接続されて構成される測定対象物の一端において、前記第１芯線の一端と前記第２芯線の一端と前記シールド線の一端とが相互に接続され、前記測定対象物の他端において、前記第１芯線の他端と前記第２芯線の他端とが相互に接続されるが、前記第１芯線及び前記第２芯線の他端と前記シールド線の他端とは接続されず、前記複数のケーブルの接続部分において、前記第１芯線と前記第２芯線とが機器を介して相互に接続された状態において、前記第１芯線の他端と前記シールド線の他端との間の抵抗値を測定する抵抗値測定器と、
前記抵抗値測定器により測定された抵抗値に基づく情報を表示する表示装置と、を備える。
【発明の効果】
【０００８】
本発明では、芯線間に機器が接続されていても、抵抗値の測定時に機器を介して電流が流れない。従って、本発明によれば、芯線間に機器が接続されていても、芯線の抵抗値と関連する抵抗値を正確に求めることができる。
【図面の簡単な説明】
【０００９】
【図１】本発明の実施形態に係る抵抗値測定システムの構成図である。
【図２】本発明の実施形態に係る演算装置の構成図である。
【図３】本発明の実施形態に係る被測定回路を示す図である。
【図４】本発明の実施形態に係る被測定回路の等価回路を示す図である。
【図５】比較例に係る被測定回路を示す図である。
【図６】本発明の実施形態に係る抵抗値測定処理を示すフローチャートである。
【発明を実施するための形態】
【００１０】
以下、本発明の実施形態を、図面を参照して説明する。まず、図１を参照して、本発明の実施形態に係る抵抗値測定システム１０００について説明する。抵抗値測定システム１０００は、測定対象物５００により構成される被測定回路５１０の抵抗値を測定するシステムである。本実施形態では、測定対象物５００は、複数のケーブルが直列に接続して構成される。抵抗値測定システム１０００は、測定された抵抗値を表示する機能、測定された抵抗値からケーブルに含まれる芯線の抵抗値を算出する機能、算出された抵抗値を表示する機能などを有する。
【００１１】
ユーザは、表示された抵抗値を参照して、ケーブルの異常を検知することができる。なお、ユーザは、表示された抵抗値が測定された抵抗値である場合、後述する計算式を用いて、測定された抵抗値から芯線の抵抗値を算出する。一方、ユーザは、表示された抵抗値が算出された抵抗値である場合、芯線の抵抗値を算出する必要がない。ユーザは、算出された芯線の抵抗値が正常な抵抗値であるか否かを判別し、ケーブルに異常があるか否かを判別することができる。ケーブルの異常は、例えば、芯線の断線、芯線の接触不良、芯線の酸化などである。図１に示すように、抵抗値測定システム１０００は、演算装置１００と、抵抗値測定器２００と、表示装置３００とを備える。
【００１２】
演算装置１００は、抵抗値測定システム１０００の中核をなす装置であり、抵抗値測定処理を実行する。演算装置１００は、測定された被測定回路５１０の抵抗値を、表示装置３００に表示させる。また、演算装置１００は、測定された抵抗値から芯線の抵抗値を算出し、表示装置３００に表示させる。なお、演算装置１００は、測定された抵抗値を示す情報を抵抗値測定器２００から取得する。
【００１３】
演算装置１００は、パーソナルコンピュータ、タブレット端末、スマートフォンなどである。以下、図２を参照して、演算装置１００の構成について説明する。図２に示すように、演算装置１００は、ＣＰＵ（Central Processing Unit）１０１、ＲＯＭ（Read Only Memory）１０２、ＲＡＭ（Random Access Memory）１０３、ハードディスク１０４、ＲＴＣ（Real Time Clock）１０５、操作受付部１０６、表示制御部１０７、通信部１０８を備える。演算装置１００が備える各構成要素は、バスを介して相互に接続される。
【００１４】
ＣＰＵ１０１は、演算装置１００の全体の動作を制御する。なお、ＣＰＵ１０１は、ＲＯＭ１０２に格納されているプログラムに従って動作し、ＲＡＭ１０３をワークエリアとして使用する。ＲＯＭ１０２には、演算装置１００の全体の動作を制御するためのプログラムやデータが記憶される。ＲＡＭ１０３は、ＣＰＵ１０１のワークエリアとして機能する。つまり、ＣＰＵ１０１は、ＲＡＭ１０３にプログラムやデータを一時的に書き込み、これらのプログラムやデータを適宜参照する。
【００１５】
ハードディスク１０４は、各種の情報を記憶する不揮発性の記憶装置である。例えば、ハードディスク１０４は、測定された抵抗値から芯線の抵抗値を算出するための計算式を示す情報や計算式で用いられる情報を記憶する。計算式で用いられる情報は、例えば、ケーブルの型番と抵抗値割合との対応関係を示すケーブル情報である。抵抗値割合は、シールド線の単位長さ当たりの抵抗値に対する芯線の単位長さ当たりの抵抗値の割合である。つまり、抵抗値割合は、ケーブルの種類（ケーブルの型番）毎に予め定められている。
【００１６】
ＲＴＣ１０５は、計時用のデバイスである。ＲＴＣ１０５は、例えば、電池を内蔵し、演算装置１００の電源がオフの間も計時を継続する。ＲＴＣ１０５は、例えば、水晶発振子を備える発振回路を備える。操作受付部１０６は、ユーザによる操作を検知し、検知の結果を示す信号をＣＰＵ１０１に供給する。操作受付部１０６は、例えば、タッチスクリーン、マウス、キーボードなどである。表示制御部１０７は、ＣＰＵ１０１による制御に従って、表示装置３００に各種の情報を表示させる。表示制御部１０７は、例えば、グラフィックカードを備える。
【００１７】
通信部１０８は、ＣＰＵ１０１による制御に従って、抵抗値測定器２００と通信する。つまり、通信部１０８は、演算装置１００を抵抗値測定器２００と接続するためのインターフェースである。通信部１０８は、例えば、測定の開始を指示する信号を抵抗値測定器２００に送信したり、抵抗値の測定値を示す情報を抵抗値測定器２００から受信したりする。通信部１０８は、例えば、ＬＡＮ（Local Area Network）、ＵＳＢ（Universal Serial Bus）、ＩＥＥＥ（Institute of Electrical and Electronic Engineers）１３９４などのインターフェースを備える。
【００１８】
抵抗値測定器２００は、測定対象の回路である被測定回路５１０の抵抗値を測定する。抵抗値測定器２００は、測定端子間に一定の電流を流したときの測定端子間の電圧値を測定したり、測定端子間に一定の電圧を印加したときの測定端子間に流れる電流値を測定することにより、測定端子間の抵抗値を測定する。抵抗値測定器２００は、切替スイッチ２１０、表示部２２０、測定端子２３１、測定端子２３２を備える。切替スイッチ２１０は、測定モードやレンジなどを切り替えるためのスイッチである。測定モードは、例えば、測定対象の物理量（例えば、抵抗値、電圧値、電流値）を指定するモードである。表示部２２０は、測定された抵抗値を表示する。測定端子２３１と測定端子２３２とは、被測定回路５１０に接続される端子である。つまり、測定端子２３１と測定端子２３２との間の抵抗値が測定される。抵抗値測定器２００は、演算装置１００が備える通信部１０８と通信する機能を有する。つまり、抵抗値測定器２００は、通信部１０８と同様の構成を備える。抵抗値測定器２００は、例えば、デジタルマルチメータやテスターである。
【００１９】
表示装置３００は、演算装置１００による制御に従って、測定された被測定回路５１０の抵抗値に基づく情報を表示する。例えば、表示装置３００は、測定された被測定回路５１０の抵抗値、算出された芯線の抵抗値を表示する。表示装置３００は、表示する抵抗値を示す情報を、演算装置１００から受信する。表示装置３００は、例えば、液晶ディスプレイである。
【００２０】
機器４１０は、例えば、設備に配置される設備機器や設備機器を管理する管理機器である。機器４１０は、例えば、他の機器からデータを受信するために、ケーブルの接続部分において、芯線間に接続される。機器４１０は、入力インターフェース４１１と、端子４１５と、端子４１６とを備える。入力インターフェース４１１は、他の機器からデータを受信するためのインターフェースである。入力インターフェース４１１は、処理部４１２と、コイル４１３と、コイル４１４とを備える。処理部４１２は、コイル４１３とコイル４１４とから構成されるトランスを介して、他の機器からデータを受信する。コイル４１３とコイル４１４とは、トランスを構成する。端子４１５と端子４１６とは、ケーブルの接続部分において、それぞれ、異なる芯線に接続される。
【００２１】
機器４２０は、基本的に、機器４１０と同様の構成及び機能を有する。つまり、機器４２０は、他の機器からデータを受信するために、ケーブルの接続部分において、芯線間に接続される。機器４２０は、入力インターフェース４２１と、端子４２５と、端子４２６とを備える。入力インターフェース４２１は、処理部４２２と、コイル４２３と、コイル４２４とを備える。
【００２２】
次に、被測定回路５１０について説明する。被測定回路５１０は、基本的に、測定対象物５００から構成される回路である。本実施形態では、測定対象物５００は、端子台４０と端子台５０と端子台６０と端子台７０とにより、ケーブル１１０とケーブル１２０とケーブル１３０とが直列に接続され、設備内に固定されているものとする。なお、本実施形態では、測定対象物５００が設備内に配置された状態で抵抗値測定処理が実行される。
【００２３】
ここで、測定対象物５００に、機器４１０や機器４２０が接続された場合、被測定回路５１０には、機器４１０の入力抵抗や機器４２０の入力抵抗が含まれることになる。機器４１０の入力抵抗は、例えば、コイル４１３により構成される。機器４２０の入力抵抗は、例えば、コイル４２３により構成される。機器４１０の入力抵抗や機器４２０の入力抵抗の抵抗値は、例えば、０．５Ω程度である。従って、これらの入力抵抗の抵抗値は、ケーブルに含まれる芯線の抵抗値に対して十分に大きいとは言えない。つまり、抵抗値の測定方法によっては、芯線間に機器４１０や機器４２０が接続されると、入力抵抗を介して芯線間に電流が流れる場合がある。
【００２４】
ケーブル１１０は、ビルや工場などの設備に敷設され、電力の供給や電気信号の送信に用いられるケーブルである。ケーブル１１０は、シールド付きの２芯ケーブルであり、芯線１１と、芯線２１と、シールド線３１と、絶縁部材１１１と、絶縁部材１１２と、絶縁部材１１３とを備える。芯線１１と芯線２１とは、電力や電気信号を送信するための電線であり、例えば、銅やアルミニウムにより構成される。シールド線３１は、芯線１１や芯線２１を被覆して遮蔽する。つまり、シールド線３１は、外部空間から放射されたノイズが芯線１１や芯線２１に進入することを防止する。また、シールド線３１は、芯線１１や芯線２１から外部空間にノイズが放射されることを防止する。また、シールド線３１は、機器のシャーシに接続され、接地される。従って、シールド線３１には、意図的に素子が接続されることはない。シールド線３１は、例えば、銅やアルミニウムにより構成される。絶縁部材１１１は、芯線１１を被覆する絶縁体である。絶縁部材１１２は、芯線２１を被覆する絶縁体である。絶縁部材１１３は、シールド線３１を被覆する絶縁体である。絶縁部材１１１、絶縁部材１１２、絶縁部材１１３は、例えば、塩化ビニール樹脂などにより構成される。
【００２５】
ケーブル１２０とケーブル１３０とは、シールド付きの２芯ケーブルであり、基本的に、長さ以外は、ケーブル１１０と同様の構成及び機能を有する。つまり、ケーブル１１０とケーブル１２０とケーブル１３０とは、同じ型番のケーブルであるものとする。ケーブル１２０は、芯線１２と、芯線２２と、シールド線３２と、絶縁部材１２１と、絶縁部材１２２と、絶縁部材１２３とを備える。ケーブル１３０は、芯線１３と、芯線２３と、シールド線３３と、絶縁部材１３１と、絶縁部材１３２と、絶縁部材１３３とを備える。
【００２６】
ケーブル１１０の一端は、端子４１と端子４２と端子４３とを備える端子台４０を介して抵抗値測定器２００に接続される。具体的には、芯線１１の一端が端子４１に接続され、芯線２１の一端が端子４２に接続され、シールド線３１の一端が端子４３に接続される。また、測定端子２３１が端子４１に接続され、測定端子２３２が端子４３に接続される。なお、測定端子２３１と端子４１とは、例えば、クリップ付きのリード線により接続される。測定端子２３２と端子４３とも同様に、例えば、他のクリップ付きのリード線により接続される。また、抵抗値の測定時、ユーザは、リード線８１により端子４１と端子４２とを接続する。これにより、芯線１１の一端と芯線２１の一端とが接続される。
【００２７】
また、ケーブル１１０の他端は、端子５１と端子５２と端子５３とを備える端子台５０を介してケーブル１２０の一端に接続される。具体的には、芯線１１の他端が端子５１に接続され、芯線２１の他端が端子５２に接続され、シールド線３１の他端が端子５３に接続される。そして、芯線１２の一端が端子５１に接続され、芯線２２の一端が端子５２に接続され、シールド線３２の一端が端子５３に接続される。また、ケーブル１２０の他端は、端子６１と端子６２と端子６３とを備える端子台６０を介してケーブル１３０の一端に接続される。具体的には、芯線１２の他端が端子６１に接続され、芯線２２の他端が端子６２に接続され、シールド線３２の他端が端子６３に接続される。そして、芯線１３の一端が端子６１に接続され、芯線２３の一端が端子６２に接続され、シールド線３３の一端が端子６３に接続される。
【００２８】
また、ケーブル１３０の他端は、端子７１と端子７２と端子７３とを備える端子台７０に接続される。具体的には、芯線１３の他端が端子７１に接続され、芯線２３の他端が端子７２に接続され、シールド線３３の他端が端子７３に接続される。また、抵抗値の測定時、ユーザは、リード線８２により端子７１と端子７２とを接続し、リード線８３により端子７２と端子７３とを接続する。これにより、芯線１３の他端と芯線２３の他端とシールド線３３の他端とが接続される。
【００２９】
以上説明したように各部が接続されることにより、芯線１１と芯線１２と芯線１３とが直列に接続されて１本の芯線（以下、適宜「第１芯線」という。）が構成される。また、芯線２１と芯線２２と芯線２３とが直列に接続されて１本の芯線（以下、適宜「第２芯線」という。）が構成される。また、シールド線３１とシールド線３２とシールド線３３とが直列に接続されて１本のシールド線が構成される。つまり、測定対象物５００は、第１芯線と第２芯線とシールド線とを備え、ケーブル１１０とケーブル１２０とケーブル１３０とが直列に接続されて構成される。
【００３０】
また、測定対象物５００の一端において、第１芯線の一端と第２芯線の一端とシールド線の一端とが相互に接続される。測定対象物５００の一端は、ケーブル１３０の他端であり、ケーブル１３０の端子台７０への接続部分である。測定対象物５００の一端は、抵抗値測定器２００からみた場合、測定対象物５００の遠端といえる。第１芯線の一端は、芯線１３の他端であり、芯線１３の端子７１への接続部分である。第２芯線の一端は、芯線２３の他端であり、芯線２３の端子７２への接続部分である。シールド線の一端は、シールド線３３の他端であり、シールド線３３の端子７３への接続部分である。また、測定対象物５００の他端において、第１芯線の他端と第２芯線の他端とが相互に接続される。測定対象物５００の他端は、ケーブル１１０の一端であり、ケーブル１１０の端子台４０への接続部分である。測定対象物５００の他端は、抵抗値測定器２００からみた場合、測定対象物５００の近端といえる。第１芯線の他端は、芯線１１の一端であり、芯線１１の端子４１への接続部分である。第２芯線の他端は、芯線２１の一端であり、芯線２１の端子４２への接続部分である。
【００３１】
このような状態において、抵抗値測定器２００は、第１芯線の他端とシールド線の他端との間の抵抗値を測定する。シールド線の他端は、シールド線３１の一端であり、シールド線３１の端子４３への接続部分である。つまり、抵抗値測定器２００は、端子４１と端子４３との間の抵抗値を測定する。そして、抵抗値測定器２００は、表示部２２０に測定された抵抗値を表示する。また、表示装置３００は、抵抗値測定器２００により測定された抵抗値に基づく情報を表示する。
【００３２】
次に、図３を参照して、被測定回路５１０について説明する。被測定回路５１０は、第１芯線の一端と第２芯線の一端とシールド線の一端とが相互に接続され、第１芯線の他端と第２芯線の他端と測定端子２３１とが相互に接続され、シールド線の他端が測定端子２３２に接続された回路である。つまり、被測定回路５１０は、シールド線に対して直列に、第１芯線と第２芯線とが並列に接続された回路である。
【００３３】
抵抗Ｒ１１は芯線１１の抵抗成分を示し、抵抗Ｒ１２は芯線１２の抵抗成分を示し、抵抗Ｒ１３は芯線１３の抵抗成分を示す。抵抗Ｒ２１は芯線２１の抵抗成分を示し、抵抗Ｒ２２は芯線２２の抵抗成分を示し、抵抗Ｒ２３は芯線２３の抵抗成分を示す。抵抗Ｒ３１はシールド線３１の抵抗成分を示し、抵抗Ｒ３２はシールド線３２の抵抗成分を示し、抵抗Ｒ３３はシールド線３３の抵抗成分を示す。ここで、抵抗Ｒ１１の抵抗値をｒ１１、抵抗Ｒ１２の抵抗値をｒ１２、抵抗Ｒ１３の抵抗値をｒ１３、抵抗Ｒ２１の抵抗値をｒ２１、抵抗Ｒ２２の抵抗値をｒ２２、抵抗Ｒ２３の抵抗値をｒ２３、抵抗Ｒ３１の抵抗値をｒ３１、抵抗Ｒ３２の抵抗値をｒ３２、抵抗Ｒ３３の抵抗値をｒ３３とする。
【００３４】
抵抗Ｒ４１０は、機器４１０が備える入力インターフェース４１１の入力抵抗を示し、コイル４１３の抵抗成分を示す。抵抗Ｒ４１０は、機器４１０が備える端子４１５が端子５１に接続され、機器４１０が備える端子４１６が端子５２に接続されることにより発生する。抵抗Ｒ４２０は、機器４２０が備える入力インターフェース４２１の入力抵抗を示し、コイル４２３の抵抗成分を示す。抵抗Ｒ４２０は、機器４２０が備える端子４２５が端子６１に接続され、機器４２０が備える端子４２６が端子６２に接続されることにより発生する。
【００３５】
ここで、芯線１１と芯線２１とは同じ長さである。従って、芯線１１と芯線２１とが、同じ素材であり、同じ断面積であるものとすると、ｒ１１＝ｒ２１となる。また、芯線１２と芯線２２とは同じ長さである。従って、芯線１２と芯線２２とが、同じ素材であり、同じ断面積であるものとすると、ｒ１２＝ｒ２２となる。また、芯線１３と芯線２３とは同じ長さである。従って、芯線１３と芯線２３とが、同じ素材であり、同じ断面積であるものとすると、ｒ１３＝ｒ２３となる。なお、本願において、「同じ」とは、完全一致を示すものではなく、ほぼ同じであることを意味する。等号「＝」の意味することも同様に、ほぼ同じであることを意味する。
【００３６】
このように、ｒ１１＝ｒ２１、ｒ１２＝ｒ２２、ｒ１３＝ｒ２３という関係が成立する場合、抵抗値測定器２００により抵抗値を測定する際、抵抗Ｒ４１０の両端間に電位差が生じず、また、抵抗Ｒ４２０の両端間にも電位差が生じない。その結果、抵抗Ｒ４１０には電流が流れず、抵抗Ｒ４２０にも電流は流れない。つまり、図３に示す被測定回路５１０は、抵抗値を測定する際、図４に示す等価回路５２０と等価である。図４に示すように、等価回路５２０は、被測定回路５１０から抵抗Ｒ４１０と抵抗Ｒ４２０とを除外した回路である。
【００３７】
ここで、抵抗値測定器２００から等価回路５２０を見たときの抵抗値をｒｔｏｔとすると、ｒｔｏｔは、式（１）のように表すことができる。
ｒｔｏｔ＝（ｒ１１＋ｒ１２＋ｒ１３）×（ｒ２１＋ｒ２２＋ｒ２３）／（（ｒ１１＋ｒ１２＋ｒ１３）＋（ｒ２１＋ｒ２２＋ｒ２３））＋（ｒ３１＋ｒ３２＋ｒ３３）  式（１）
【００３８】
また、ｒ１１＝ｒ２１、ｒ１２＝ｒ２２、ｒ１３＝ｒ２３という関係を考慮すると、式（１）から式（２）を導き出すことができる。
ｒｔｏｔ＝（ｒ１１＋ｒ１２＋ｒ１３）／２＋（ｒ３１＋ｒ３２＋ｒ３３）  式（２）
【００３９】
ここで、抵抗値割合をＡとする。抵抗値割合は、シールド線の単位長さ当たりの抵抗値に対する第１芯線の単位長さ当たりの抵抗値の割合である。シールド線の長さと第１芯線の長さとは同じであるため、抵抗値割合は、シールド線の抵抗値に対する第１芯線の抵抗値の割合でもある。また、第１芯線と第２芯線とは基本的に同じものであるため、抵抗値割合は、シールド線の抵抗値に対する第２芯線の抵抗値の割合でもある。Ａは、ケーブル１１０、ケーブル１２０及びケーブル１３０の種類により予め定められ、ケーブル情報と型番とから特定可能である。なお、第１芯線とシールド線とが同じ素材である場合、第１芯線の断面積に対するシールド線の断面積の割合がＡとなる。また、ケーブル１１０とケーブル１２０とケーブル１３０とは、同じ型番のケーブルであるため、式（３）が成立する。
（ｒ１１＋ｒ１２＋ｒ１３）＝Ａ（ｒ３１＋ｒ３２＋ｒ３３）  式（３）
【００４０】
また、式（２）と式（３）とから式（４）が導き出される。
ｒｔｏｔ＝（１／２＋１／Ａ）×（ｒ１１＋ｒ１２＋ｒ１３）  式（４）
【００４１】
更に、第１芯線の抵抗値及び第２芯線の抵抗値をｒ１とすると、式（４）から式（５）が導き出される。演算装置１００は、式（４）或いは式（５）を用いて、測定された抵抗値から第１芯線の抵抗値及び第２芯線の抵抗値を算出することができる。
ｒｔｏｔ＝（１／２＋１／Ａ）×ｒ１  式（５）
【００４２】
ここで、図５を参照して、比較例に係る回路５３０について説明する。回路５３０は、シールド線を用いずに、第１芯線と第２芯線とでループを構成した回路である。つまり、回路５３０は、第１芯線の一端と第２芯線の一端とが相互に接続され、第１芯線の他端と第２芯線の他端との間が開放状態となる回路である。抵抗Ｒ４１０や抵抗Ｒ４２０は、例えば、０．５Ω程度であることが想定される。従って、抵抗Ｒ４１０や抵抗Ｒ４２０は、抵抗Ｒ１１、抵抗Ｒ１２、抵抗Ｒ１３、抵抗Ｒ２１、抵抗Ｒ２２、抵抗Ｒ２３などに対して十分に大きくない。特に、抵抗Ｒ４１０は、抵抗Ｒ１２に対して十分に大きくない。このため、図５に示すように、抵抗値測定器２００による抵抗値の測定時に、抵抗Ｒ１２に流れるべき電流の大部分が抵抗Ｒ４１０に電流が流れてしまう。
【００４３】
次に、図６に示すフローチャートを参照して、抵抗値測定システム１０００が実行する抵抗値測定処理について説明する。抵抗値測定処理は、基本的に、演算装置１００が備えるＣＰＵ１０１による制御に従って実行される。なお、ＣＰＵ１０１は、ユーザから抵抗値測定処理の開始指示を受け付けた後に、抵抗値測定処理を開始する。ＣＰＵ１０１は、例えば、操作受付部１０６を介してユーザから開始指示を受け付ける。以下、ＣＰＵ１０１が操作受付部１０６を介してユーザから情報を受け付けることを、適宜、単に、ＣＰＵ１０１がユーザから情報を受け付けるという。
【００４４】
まず、ＣＰＵ１０１は、測定の準備を指示する（ステップＳ１０１）。例えば、ＣＰＵ１０１は、表示制御部１０７を制御して、ユーザに測定の準備を促す画面を表示装置３００に表示させる。なお、測定の準備は、具体的には、リード線８１による端子４１と端子４２との接続、リード線８２による端子７１と端子７２との接続、リード線８３による端子７２と端子７３との接続、測定端子２３１と端子４１との接続、測定端子２３２と端子４２との接続などである。なお、測定の準備には、機器４１０の取り外し作業や機器４２０の取り外し作業が含まれない。
【００４５】
ＣＰＵ１０１は、ステップＳ１０１の処理を完了すると、準備が完了したか否かを判別する（ステップＳ１０２）。例えば、ＣＰＵ１０１は、ユーザから準備が完了した旨の操作が受け付けられたか否かを判別する。
【００４６】
ＣＰＵ１０１は、準備が完了していないと判別すると（ステップＳ１０２：ＮＯ）、ステップＳ１０２に処理を戻す。一方、ＣＰＵ１０１は、準備が完了したと判別すると（ステップＳ１０２：ＹＥＳ）、ケーブルの型番を取得する（ステップＳ１０３）。例えば、ＣＰＵ１０１は、ケーブル１１０の型番の指定をユーザから受け付ける。
【００４７】
ＣＰＵ１０１は、ステップＳ１０３の処理を完了すると、測定端子間の抵抗値を測定する（ステップＳ１０４）。具体的には、ＣＰＵ１０１は、通信部１０８を介して、抵抗値測定器２００に抵抗値の測定開始を指示する。そして、ＣＰＵ１０１は、通信部１０８を介して、抵抗値測定器２００から測定された抵抗値を示す情報を取得する。
【００４８】
ＣＰＵ１０１は、ステップＳ１０４の処理を完了すると、測定された抵抗値を表示する（ステップＳ１０５）。例えば、ＣＰＵ１０１は、表示制御部１０７を制御して、測定された抵抗値を表示装置３００に表示させる。
【００４９】
ＣＰＵ１０１は、ステップＳ１０５の処理を完了すると、第１芯線の抵抗値を算出する（ステップＳ１０６）。ＣＰＵ１０１は、例えば、上述した式（４）又は式（５）と、ハードディスク１０４に記憶されたケーブル情報と、取得されたケーブルの型番とから、第１芯線の抵抗値を算出する。
【００５０】
ＣＰＵ１０１は、ステップＳ１０６の処理を完了すると、算出された抵抗値を表示する（ステップＳ１０７）。例えば、ＣＰＵ１０１は、表示制御部１０７を制御して、算出された抵抗値、つまり、第１芯線の抵抗値の推定値を、表示装置３００に表示させる。
【００５１】
以上説明したように、本実施形態では、芯線間に機器が接続されていても、抵抗値の測定時に機器を介して電流が流れない。従って、本実施形態によれば、芯線間に機器が接続されていても、芯線の抵抗値と関連する抵抗値を正確に求めることが可能となる。また、本実施形態では、芯線間に機器が接続されている場合において、ユーザは、抵抗値の測定前に、機器を取り外す必要がない。従って、本実施形態によれば、抵抗値を測定するための準備に要する時間を短縮するとともに、準備に要する手間を減らすことができる。また、本実施形態によれば、機器が接続されているか否かをチェックする必要もない。
【００５２】
また、本実施形態では、測定された抵抗値が表示される。従って、本実施形態によれば、第１芯線又は第２芯線に異常があるか否かを判別するのに有効な情報をユーザに知らせることができる。
【００５３】
また、本実施形態では、測定された抵抗値から算出された第１芯線の抵抗値が表示される。従って、本実施形態によれば、第１芯線又は第２芯線に異常があるか否かを判別するのに更に有効な情報をユーザに知らせることができる。
【００５４】
また、本実施形態では、簡単な計算式により、第１芯線の抵抗値を算出可能である。従って、本実施形態によれば、演算装置１００の処理負荷をあまり増やさずに、第１芯線の抵抗値を算出することができる。
【００５５】
（変形例）
以上、本発明の実施形態を説明したが、本発明を実施するにあたっては、種々の形態による変形及び応用が可能である。
【００５６】
本発明において、上記実施形態において説明した構成、機能、動作のどの部分を採用するのかは任意である。また、本発明において、上述した構成、機能、動作のほか、更なる構成、機能、動作が採用されてもよい。また、上述した機能は、どの装置が有していても良く、上述した機能がシステム全体として実行されればよい。
【００５７】
例えば、抵抗値測定器２００は、表示部２２０に測定された抵抗値を表示する機能を有するため、演算装置１００や表示装置３００は必須の構成要素ではない。また、演算装置１００が表示機能を有する場合、表示装置３００はなくてもよい。また、演算装置１００の機能を抵抗値測定器２００に持たせてもよい。
【００５８】
上記実施形態では、３本のケーブルにより測定対象物５００が構成される例について説明した。本発明において、測定対象物５００を構成するケーブルの本数は、２本であってもよいし、４本以上であってもよい。また、１本のケーブルの中間部分において、芯線とシールド線とを被覆から取り出して、機器が接続されている場合にも適用可能である。また、測定対象物５００を構成するケーブルの種類は、異なるものであってもよい。この場合でも、ケーブルの接続部分に接続された機器に電流は流れないためである。
【００５９】
上記実施形態では、本発明をシールド付きの２芯ケーブルに適用する例について説明した。本発明は、３芯以上の芯線を有するシールド付きの多芯ケーブルに適用することができる。この場合、３芯以上の芯線から選択された２芯を第１芯線及び第２芯線として、接続及び測定すればよい。
【００６０】
本発明に係る演算装置１００の動作を規定する動作プログラムを既存のパーソナルコンピュータや情報端末装置に適用することで、当該パーソナルコンピュータを本発明に係る演算装置１００として機能させることも可能である。
【００６１】
また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【００６２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６３】
本発明は、ケーブルの異常を検知するシステムに適用可能である。
【符号の説明】
【００６４】
１１，１２，１３，２１，２２，２３  芯線、３１，３２，３３  シールド線、４０，５０，６０，７０  端子台、４１，４２，４３，５１，５２，５３，６１，６２，６３，７１，７２，７３  端子、８１，８２，８３  リード線、１００  演算装置、１０１  ＣＰＵ、１０２  ＲＯＭ、１０３  ＲＡＭ、１０４  ハードディスク、１０５  ＲＴＣ、１０６  操作受付部、１０７  表示制御部、１０８  通信部、１１０，１２０，１３０  ケーブル、１１１，１１２，１１３，１２１，１２２，１２３，１３１，１３２，１３３  絶縁部材、２００  抵抗値測定器、２１０  切替スイッチ、２２０  表示部、２３１，２３２  測定端子、３００  表示装置、４１０，４２０  機器、４１１，４２１  入力インターフェース、４１２，４２２  処理部、４１３，４１４，４２３，４２４  コイル、４１５，４１６，４２５，４２６  端子、５００  測定対象物、５１０  被測定回路、５２０  等価回路、５３０  回路、１０００  抵抗値測定システム、Ｒ１１，Ｒ１２，Ｒ１３，Ｒ２１，Ｒ２２，Ｒ２３，Ｒ３１，Ｒ３２，Ｒ３３，Ｒ４１０，Ｒ４２０  抵抗
【図１】
0006272378.tif 000002
【図２】
0006272378.tif 000003
【図３】
0006272378.tif 000004
【図４】
0006272378.tif 000005
【図５】
0006272378.tif 000006
【図６】
0006272378.tif 000007